(57)【要約】      （修正有）【課題】折畳んで運搬することが便利であり、清掃及びリサイクルが便利であり、組付け方式が複数あり、ペットとする猫の爪とぎの意欲を増加可能な爪とぎボードを提供する。【解決手段】第１爪とぎボードと第２爪とぎボードとから構成され、第１爪とぎボード１０は、第１ケース１１と、第１爪とぎ部１２と、を有し、第１ケースは収容空間を有し、第１爪とぎ部には、爪とぎ面が形成され、爪とぎ面は穴を有し、第１爪とぎ部は、第１ケースの収容空間に組付けられている。第２爪とぎボード２０は、第２ケース２１と、第２爪とぎ部２２と、を有し、第２ケースは収容空間を有し、第２爪とぎ部には、爪とぎ面が形成され、爪とぎ面は穴を有し、第２爪とぎ部は、第２ケースの収容空間に組付けられている。第１ケースと第２ケースとの間には第１連接端Ｌ１が設けられている。【選択図】図１
0003215623.tif 000002
【実用新案登録請求の範囲】
【請求項１】
第１爪とぎボードと、第２爪とぎボードと、から構成され、
前記第１爪とぎボードは、第１ケースと、第１爪とぎ部と、を有し、前記第１ケースは収容空間を有し、前記第１爪とぎ部は、刃型により、圧縮された紙を切って、爪とぎ面を有する構造が形成され、これらの前記爪とぎ面には、ペットとする猫の爪を磨ぐことが可能な穴を有し、前記第１爪とぎ部は、前記第１ケースの前記収容空間に組付けられており、
前記第２爪とぎボードは、第２ケースと、第２爪とぎ部と、を有し、前記第２ケースは収容空間を有し、前記第２爪とぎ部は、刃型により、圧縮された紙を切って、爪とぎ面を有する構造が形成され、これらの前記爪とぎ面には、ペットとする猫の爪を磨ぐことが可能な穴を有し、前記第２爪とぎ部は、前記第２ケースの収容空間に組付けられており、
前記第１ケースと前記第２ケースとの間に第１連接端が設けられており、前記第１連接端により、前記第１爪とぎボードを前記第２爪とぎボードに対して旋回可能であり、これにより、前記第１爪とぎボードと前記第２爪とぎボードとは、折畳み、又は展開可能であることを特徴とするペット用爪とぎボード。
【請求項２】
前記第２爪とぎボードは、更に、第３爪とぎボードと連接し、前記第３爪とぎボードは、第３ケースと、第３爪とぎ部と、を有し、前記第３ケースは収容空間を有し、前記第３爪とぎ部は、刃型により、圧縮された紙を切って、爪とぎ面を有する構造が形成され、これらの前記爪とぎ面には、ペットとする猫の爪を磨ぐことが可能な穴を有し、前記第３爪とぎ部は、前記第３ケースの収容空間に組付けられており、前記第２爪とぎボードと前記第３爪とぎボードとの間に第２連接端が設けられており、前記第２連接端により、前記第３爪とぎボードを旋回可能であり、これにより、前記第１、第２及び第３爪とぎボードは、折畳み、又は展開可能であることを特徴とする、請求項１に記載のペット用爪とぎボード。
【請求項３】
前記第１爪とぎボードは、前記第１連接端の二つの側辺に第１組合区がそれぞれ設けられており、前記第２爪とぎボードは、前記第１連接端の二つの側辺に第２組合区がそれぞれ設けられており、両側にある前記第１組合区と前記第２組合区とには、第１支持板がそれぞれ組付けられており、これらの前記第１支持板は、三角形を呈するプレートであり、前記第１支持板により、前記第１爪とぎボードと前記第２爪とぎボードとを互いに垂直する状態にすることが可能であることを特徴とする、請求項１に記載のペット用爪とぎボード。
【請求項４】
前記第１組合区と前記第２組合区とに差込溝が設けられており、前記第１支持板に第１差込片が複数設けられており、前記第１支持板にある前記第１差込片を前記差込溝にそれぞれ挿し込むことにより、前記第１爪とぎボードと前記第２爪とぎボードとを互いに垂直する状態にすることが可能であることを特徴とする、請求項３に記載のペット用爪とぎボード。
【請求項５】
前記第１支持板の側壁に粘着部材が設けられており、前記第１組合区と前記第２組合区との側壁に、前記粘着部材を有する側を接着することにより、前記第１爪とぎボードと前記第２爪とぎボードとを互いに垂直する状態にすることが可能であることを特徴とする、請求項３に記載のペット用爪とぎボード。
【請求項６】
前記第１爪とぎボードは、前記第１連接端の二つの側辺に第１組合区がそれぞれ設けられており、前記第２爪とぎボードは、前記第１連接端の二つの側辺に第２組合区がそれぞれ設けられており、前記第１組合区と前記第２組合区との両側に第１支持板がそれぞれ組み付けられており、前記第１支持板は三角形を呈するプレートであり、これにとり、前記第１爪とぎボードと前記第２爪とぎボードとを互いに垂直する状態にすることが可能であり、前記第２爪とぎボードは、第２連接端の両側に第３組合区がそれぞれ設けられており、前記第３爪とぎボードは、前記第２連接端の両側に第４組合区がそれぞれ設けられており、前記第３組合区と前記第４組合区との両側に第２支持板がそれぞれ組み付けられており、これらの前記第２支持板は、矩形を呈するプレートであり、これにより、前記第２爪とぎボードと前記第３爪とぎボードとを互いに垂直するように連接する状態にすることが可能であることを特徴とする、請求項２に記載のペット用爪とぎボード。
【請求項７】
前記第３組合区と前記第４組合区とに差込溝がそれぞれ設けられており、前記第２支持板は、前記第３組合区と前記第４組合区とに対応する複数の第２差込片を有し、これらの前記差込溝に、前記第２支持板にある前記第２差込片をそれぞれ差し込むことにより、前記第２爪とぎボードと前記第３爪とぎボードとを互いに垂直する状態にすることが可能であることを特徴とする、請求項６に記載のペット用爪とぎボード。
【請求項８】
前記第２支持板の側壁に粘着部材が設けられており、前記第３組合区と前記第４組合区との側壁に、前記粘着部材を有する側を接着することにより、前記第２爪とぎボードと前記第３爪とぎボードとを互いに垂直する状態にすることが可能であることを特徴とする、請求項７に記載のペット用爪とぎボード。
【請求項９】
前記粘着部材により、前記第１、第２及び第３爪とぎ部は、前記第１、第２及び第３ケース内の収容空間に結合することを特徴とする、請求項２に記載のペット用爪とぎボード。
【請求項１０】
前記第１、第２及び第３爪とぎ部は複数の差込片を有し、前記第１、第２及び第３ケース内の収容空間は複数の差込穴を有し、前記第１、第２及び第３ケース内の収容空間に、前記第１、第２及び第３爪とぎ部の差込片を差し込むことを特徴とする、請求項２に記載のペット用爪とぎボード。
【考案の詳細な説明】
【技術分野】
【０００１】
本考案は、折畳み及び組付けが容易で環境にやさしいペット用爪とぎボードに関し、特に、折畳んで運搬することが便利であり、清掃及びリサイクルが便利であり、組付け方式が複数あり、ペットとする猫の爪とぎの意欲を増加可能な爪とぎボードに関するものである。
【背景技術】
【０００２】
例えば猫などのペットは、爪を磨ぐ習慣を有する。その原因は、ペットが爪を磨ぐ動作により、爪の老化した角質を剥離可能であることにある。しかし、家具または衣服を爪とぎの対象とする場合には、家具及び衣服が損壊するため、ペットによる破壊から家具及び個人の衣服を守るために、ペットの主人は爪とぎボードを利用することが一般的である。これにより、ペットは、快適で安全に爪を磨ぐことが可能である。
【０００３】
従来の爪とぎボードは、例えば中華民国実用新案Ｍ３０８６３４号が提案された。このような爪とぎボードは、段ボールを積み上げて、刃型によって切ることにより、表面が立体的な皺を有する爪とぎが形成される。しかしながら、このような爪とぎボードは下記の欠点を有する。
【０００４】
（１）構造の体積がより大きい（その原因は、猫が爪を磨ぐ過程中に、爪とぎボードの移動が容易であると、猫は爪とぎボードを利用したくなくなることにある。）ため、スペースがかなり掛かり、そして運搬及び輸送が容易ではなく、運賃が増加する。
【０００５】
（２）爪とぎボードにより、猫が爪を磨ぐときに、紙屑及び切られた爪が生じる。このため、環境の整理は不便となり、且つ利用されて損壊した爪とぎボードをリサイクルするときに、紙屑、爪及びホコリが飛散しやすく、リサイクルが容易ではない。
【０００６】
（３）従来の爪とぎボードでは、猫の爪を磨ぐ方式は一つだけであるため、長期になると、猫は爪とぎボードを利用したくなくなる虞がある。
【考案の概要】
【考案が解決しようとする課題】
【０００７】
本考案の主な目的は、複数のケースに爪とぎボードを組付けることにより、これらのケースを折畳み、又は展開可能なため、製品の体積が減少し、運搬及び輸送が便利となるペット用爪とぎボードを提供することにある。
【課題を解決するための手段】
【０００８】
本考案のペット用爪とぎボードによると、第１爪とぎボードと第２爪とぎボードとから構成され、
第１爪とぎボードは、第１ケースと、第１爪とぎ部と、を有し、第１ケースは収容空間を有し、第１爪とぎ部は、刃型により、圧縮された紙を切って、爪とぎ面を有する構造が形成され、これらの爪とぎ面には、ペットとする猫の爪を磨ぐことが可能な穴を有し、第１爪とぎ部は、第１ケースの収容空間に組付けられており、
第２爪とぎボードは、第２ケースと、第２爪とぎ部と、を有し、第２ケースは収容空間を有し、第２爪とぎ部は、刃型により、圧縮された紙を切って、爪とぎ面を有する構造が形成され、これらの爪とぎ面には、ペットとする猫の爪を磨ぐことが可能な穴を有し、第２爪とぎ部は、第２ケースの収容空間に組付けられており、
第１ケースと第２ケースとの間に第１連接端が設けられており、第１連接端により、第１爪とぎボードを第２爪とぎボードに対して旋回可能であり、これにより、第１爪とぎボードと第２爪とぎボードとは、折畳み、又は展開可能であることを特徴とする。
【０００９】
本考案のペット用爪とぎボードによると、第２爪とぎボードは、更に、第３爪とぎボードと連接し、第３爪とぎボードは、第３ケースと、第３爪とぎ部と、を有し、第３ケースは収容空間を有し、第３爪とぎ部は、刃型により、圧縮された紙を切って、爪とぎ面を有する構造が形成され、これらの爪とぎ面には、ペットとする猫の爪を磨ぐことが可能な穴を有し、第３爪とぎ部は、第３ケースの収容空間に組付けられており、第２爪とぎボードと第３爪とぎボードとの間に第２連接端が設けられており、第２連接端により、第３爪とぎボードを旋回可能であり、これにより、第１、第２及び第３爪とぎボードは、折畳み、又は展開可能であることを特徴とする。
【００１０】
本考案のペット用爪とぎボードによると、第１爪とぎボードは、第１連接端の二つの側辺に第１組合区がそれぞれ設けられており、第２爪とぎボードは、第１連接端の二つの側辺に第２組合区がそれぞれ設けられており、両側にある第１組合区と第２組合区とには、第１支持板がそれぞれ組付けられており、これらの第１支持板は、三角形を呈するプレートであり、第１支持板により、第１爪とぎボードと第２爪とぎボードとを互いに垂直する状態にすることが可能であることを特徴とする。
【００１１】
本考案のペット用爪とぎボードによると、第１組合区と第２組合区とに差込溝が設けられており、第１支持板に第１差込片が複数設けられており、第１支持板にある第１差込片を差込溝にそれぞれ挿し込むことにより、第１爪とぎボードと第２爪とぎボードとを互いに垂直する状態にすることが可能であることを特徴とする。
【００１２】
本考案のペット用爪とぎボードによると、第１支持板の側壁に粘着部材が設けられており、第１組合区と第２組合区との側壁に、粘着部材を有する側を接着することにより、第１爪とぎボードと第２爪とぎボードとを互いに垂直する状態にすることが可能であることを特徴とする。
【００１３】
本考案のペット用爪とぎボードによると、第１爪とぎボードは、第１連接端の二つの側辺に第１組合区がそれぞれ設けられており、第２爪とぎボードは、第１連接端の二つの側辺に第２組合区がそれぞれ設けられており、第１組合区と第２組合区との両側に第１支持板がそれぞれ組み付けられており、第１支持板は三角形を呈するプレートであり、これにより、第１爪とぎボードと第２爪とぎボードとを互いに垂直する状態にすることが可能であり、第２爪とぎボードは、第２連接端の両側に第３組合区がそれぞれ設けられており、第３爪とぎボードは、第２連接端の両側に第４組合区がそれぞれ設けられており、第３組合区と第４組合区との両側に第２支持板がそれぞれ組み付けられており、これらの第２支持板は、矩形を呈するプレートであり、これにより、第２爪とぎボードと第３爪とぎボードとを互いに垂直するように連接する状態にすることが可能であることを特徴とする。
【００１４】
本考案のペット用爪とぎボードによると、第３組合区と第４組合区とに差込溝がそれぞれ設けられており、第２支持板は、第３組合区と第４組合区とに対応する複数の第２差込片を有し、これらの差込溝に、第２支持板にある第２差込片をそれぞれ差し込むことにより、第２爪とぎボードと第３爪とぎボードとを互いに垂直する状態にすることが可能であることを特徴とする。
【００１５】
本考案のペット用爪とぎボードによると、第２支持板の側壁に粘着部材が設けられており、第３組合区と第４組合区との側壁に、粘着部材を有する側を接着することにより、第２爪とぎボードと第３爪とぎボードとを互いに垂直する状態にすることが可能であることを特徴とする。
【００１６】
本考案のペット用爪とぎボードによると、粘着部材により、第１、第２及び第３爪とぎ部は、第１、第２及び第３ケース内の収容空間に結合することを特徴とする。
【００１７】
本考案のペット用爪とぎボードによると、第１、第２及び第３爪とぎ部は複数の差込片を有し、第１、第２及び第３ケース内の収容空間は複数の差込穴を有し、第１、第２及び第３ケース内の収容空間に、第１、第２及び第３爪とぎ部の差込片を差し込むことを特徴とする。
【考案の効果】
【００１８】
本考案のペット用爪とぎボードによれば、次のような効果がある。
【００１９】
（１）複数の爪とぎボードを組み合わせて一体とすることが可能なため、猫が爪を磨ぐ過程中に、爪とぎボードが移動し難くなり、猫の爪とぎの意欲が増加する。そして本考案に係る爪とぎボードは、折畳み、又は展開可能なため、折畳まれた状態では、体積が減少し、運搬が容易となり、運賃を減少可能である。
【００２０】
（２）本考案に係る第１から第３ケースは、猫が爪を磨いだ後に発生する紙屑および切られた爪を収集可能であり、各爪とぎ部が利用できなくなるときに、第１〜第３猫とぎボードを直接に折畳んで廃棄可能なため、極めて便利である。
【００２１】
（３）本考案に係る爪とぎボードによれば、猫の爪とぎの方式は複数あり、且つ第１〜第３爪とぎボードを組付けた後、ジャンププラットフォームのような構造が形成されるため、猫の注意力が引かれて、猫は室内の家具、衣服またはインテリアを破壊しなくなる。
【図面の簡単な説明】
【００２２】
【図１】本考案の第１の実施形態に係るペット用爪とぎボードの構造を示す斜視図である。
【図２】本考案の第１の実施形態に係るペット用爪とぎボードの折畳み状態を示す図である。
【図３】本考案の第２の実施形態に係るペット用爪とぎボードの構造を示す斜視図である。
【図４】本考案の第２の実施形態に係るペット用爪とぎボードの折畳み状態を示す図である。
【図５】本考案の第３の実施形態に係るペット用爪とぎボードの構造を示す斜視図である。
【図６】本考案の第４の実施形態に係るペット用爪とぎボードの構造を示す斜視図である。
【考案を実施するための形態】
【００２３】
以下、本考案の実施の形態を図面に基づいて説明する。
【００２４】
（第１の実施形態）
図１から図２を参照する。本考案第１の実施形態に係るペット用爪とぎボードは、折畳み及び組付けが容易であり、環境にやさしく、第１爪とぎボード１０と、第２爪とぎボード２０と、を備える。
【００２５】
第１爪とぎボード１０は、第１ケース１１と、第１爪とぎ部１２と、を有する。第１ケース１１は収容空間１１１を有する。第１爪とぎ部１２は、刃型により、圧縮された紙を切って、爪とぎ面を有する構造が形成される。これらの爪とぎ面には、猫が爪を磨ぐことが可能な穴が設けられている。第１爪とぎ部１２は、第１ケース１１の収容空間１１１に組付けられている。具体的には、第１爪とぎ部１２は、段ボール板を圧縮した後、刃型による切りにより、表面に爪を磨ぐための穴が形成される。ペットとする猫は、第１爪とぎ部１２によって爪を磨ぐことにより、ストレスを緩和可能である。
【００２６】
第２爪とぎボード２０は、第２ケース２１と、第２爪とぎ部２２と、を有する。第２ケース２１は収容空間２１１を有する。第２爪とぎ部２２は、刃型により、圧縮された紙を切って、爪とぎ面を有する構造が形成される。これらの爪とぎ面には、猫が爪を磨ぐことが可能な穴が設けられている。第２爪とぎ部２２は、第２ケース２１の収容空間２１１に組付けられている。本実施形態では、第２爪とぎボード２０の長さは、第１爪とぎボード１０の長さよりやや大きい。その原因は、猫が爪とぎボードで横になって爪を磨ぐことが好きであることにある。爪とぎボードの寸法が小さすぎ、又は爪を磨ぐ過程中に、爪とぎボードが移動し、又はスライドすると、猫は、爪とぎボードで爪を磨ぐ意欲が降下する。このため、本考案の別の長所は、ペットとする猫の注意力を引くことが可能であり、室内の家具、衣服やインテリアを破壊することを防止可能である。
【００２７】
第１ケース１１と第２ケース２１との間に第１連接端Ｌ１が設けられている。第１連接端Ｌ１により、第１爪とぎボード１０は、第２爪とぎボード２０に対して旋回可能である。これにより、第１爪とぎボード１０と第２爪とぎボード２０とは、折畳み、又は展開可能である。第１爪とぎ部１２と第１ケース１１とは、接着剤または両面テープにより結合される。第２爪とぎ部２２は、接着剤または両面テープなどの粘着部材（図示せず）により、第２ケース２１の収容空間２１１内に結合する。上述のような構造により、折畳み、又は展開するときに、第１爪とぎ部１２は、第１ケース１１から離脱できず、利用が極めて便利である。
【００２８】
図１及び図２を参照する。本考案に係るペット用爪とぎボードによれば、折畳み、又は展開可能であり、スペースを節約可能であり、海外に輸出するときに、本考案に係るペット用爪とぎボードを折畳んで後、コンテナーにもっと多くの貨物を入れることが可能であるため、運賃を大幅に減少可能である。そして売店にとって、本考案に係るペット用爪とぎボードを折畳んで後、体積が減少するため、在庫によるコストを減少可能である。消費者にとって、本考案に係るペット用爪とぎボードは、運搬が便利であり、組合が迅速であるという長所がある。第１爪とぎボード１０と第２爪とぎボード２０とが利用できなくなる場合には、第１爪とぎボード１０と第２爪とぎボード２０とを折畳むと廃棄可能である。第１ケース１１と第２ケース２１とは、ゴミを収集する構造とすることが可能であり、環境の整理は便利となる。
【００２９】
（第２の実施形態）
図３及び図４を参照する。図４は本考案の第２の実施形態に係るペット用爪とぎボードを示す。一部の飼主は、一匹以上の猫を有する場合に、本実施形態に係るペット用爪とぎボードを利用可能である。本実施形態に係るペット用爪とぎボードは、第２爪とぎボード２０に第３爪とぎボード３０が連接されている。第３爪とぎボード３０は、第３ケース３１と、第３爪とぎ部３２と、を有する。第３ケース３１は収容空間３１１を有する。前記第３爪とぎ部３２は、刃型により、圧縮された紙を切って、爪とぎ面を有する構造が形成される。これらの爪とぎ面には、猫が爪を磨ぐことが可能な穴が設けられている。第３爪とぎ部３２は、第３ケース３１の収容空間３１１に組付けられている。第２爪とぎボード２０と第３爪とぎボード３０との間に第２連接端Ｌ２が設けられている。第２連接端Ｌ２により、第３爪とぎボード３０を旋回可能である。これにより、第１爪とぎボード１０、第２爪とぎボード２０及び第３爪とぎボード３０を折畳み、又は展開可能である。両面テープや接着剤により、第３爪とぎボード３０内の第３爪とぎ部３２は、第３ケース３１内の収容空間３１１に結合可能である。本実施形態に係るペット用爪とぎボードにより、複数の猫は、第１、第２及び第３猫爪板１０，２０，３０で爪を磨ぐことが、又は遊ぶことが可能であり、猫の注意力を引くことが可能である。一方、本考案に係るペット用爪とぎボードは、第１〜第３爪とぎ部１２，２２，３２が複数の差込片（図示せず）を有してもよい。第１、第２及び第３ケース１１，２１，３１内の収容空間１１１，２１１，３１１は、複数の差込穴（図示せず）を有してもよい。第１、第２及び第３ケース１１，２１，３１内の収容空間１１１、２１１、３１１に、第１、第２及び第３爪とぎ部１２，２２，３２の差込片を差し込む。
【００３０】
（第３の実施形態）
図５を参照する。本実施形態に係るペット用爪とぎボードは、第１爪とぎボード１０は、第１連接端の二つの側辺に第１組合区１３がそれぞれ設けられており、前記第２爪とぎボード２０は、第１連接端の二つの側辺に第２組合区２３がそれぞれ設けられている。両側にある第１組合区１３と第２組合区２３とには、第１支持板４１がそれぞれ組付けられている。これらの第１支持板４１は、三角形を呈するプレートである。第１支持板４１により、第１爪とぎボード１０と第２爪とぎボード２０とを互いに垂直する状態にすることが可能である。第１組合区１３と第２組合区２３とに差込溝１３１，２３１が設けられている。第１支持板４１に第１差込片４１１が複数設けられている。差込溝１３１，２３１に第１支持板４１の第１差込片４１１をそれぞれ差し込むと、第１爪とぎボード１０と第２爪とぎボード２０とを互いに垂直する状態にすることが可能である。第１支持板４１の側壁に両面テープや接着剤が設けられている。第１組合区１３と第２組合区２３との側壁に、両面テープや接着剤を有する側を接着することにより、第１爪とぎボード１０と第２爪とぎボード２０とを互いに垂直する状態にすることが可能である。本実施形態によれば、ペットとする猫は、第１爪とぎボード１０で横になって爪を磨ぐことが可能である他、第２爪とぎボード２０で爪を磨ぐことも可能である。これにより、ペットとする猫は、本考案に係るペット用爪とぎボードで爪を磨ぐ意欲が高い。
【００３１】
（第４の実施形態）
図６を参照する。本実施形態に係るペット用爪とぎボードは、第１爪とぎボード１０は、第１連接端の二つの側辺に第１組合区１３がそれぞれ設けられており、第２爪とぎボード２０は、第１連接端Ｌ１の二つの側辺に第２組合区２３がそれぞれ設けられている。第１組合区１３と第２組合区２３との両側に第１支持板４１がそれぞれ組付けられている。これらの第１支持板４１は、三角形を呈するプレートである。第１支持板４１により、第１爪とぎボード１０と第２爪とぎボード２０とを互いに垂直する状態にすることが可能である。第２爪とぎボード２０は、第２連接端の両側に第３組合区２４がそれぞれ設けられている。第３爪とぎボード３０は、第２連接端Ｌ２の両側に第４組合区３３がそれぞれ設けられている。第３組合区２４と第４組合区３３との両側に第２支持板４２がそれぞれ組み付けられている。これらの第２支持板４２は、矩形を呈するプレートである。第２支持板４２により、第２爪とぎボード２０と第３爪とぎボード３０とを互いに垂直する状態にすることが可能である。猫は高所に立つことが好きなため、本実施形態に係るペット用爪とぎボードによれば、猫の注意力を引くことが可能である。そして猫は、本考案に係るペット用爪とぎボードで遊び、又は爪を磨ぐことが可能なため、室内のインテリア、家具や衣服を破壊することを防止可能である。第３組合区２４と第４組合区３３とには、差込溝２４１，３３１がそれぞれ設けられている。第２支持板４２は、第３組合区２４と第４組合区３３とに対応する複数の第２差込片４２１を有する。これらの差込溝２４１，３３１に、第２支持板４２の第２差込片４２１をそれぞれ差し込むと、第２爪とぎボード２０と第３爪とぎボード３０とを互いに垂直する状態にすることが可能である。第２支持板４２の側壁には、両面テープまたは接着剤が設けられている。第３組合区２４と第４組合区３３との側壁に、両面テープまたは接着剤を有する側を接着すると、第２爪とぎボード２０と第３爪とぎボード３０とを互いに垂直する状態にすることが可能である。本実施形態によれば、飼主は、本考案に係るペット用爪とぎボードを、壁の隅、又は猫の注意力を引くことが可能な区域に置いて、猫は高所に立つことが好きな習慣を利用することにより、本考案に係るペット用爪とぎボードは、ジャンププラットフォームのような構造を有するため、猫の注意力を引くことが可能である。これにより、猫は室内の家具、衣服やインテリアを破壊することを防止可能であり、猫のストレスを緩和可能である。
【符号の説明】
【００３２】
１０  第１爪とぎボード
１１  第１ケース
１２  第１爪とぎ部
１３  第１組合区
２０  第２爪とぎボード
２１  第２ケース
２２  第２爪とぎ部
２３  第２組合区
２４  第３組合区
３０  第３爪とぎボード
３１  第３ケース
３２  第３爪とぎ部
３３  第４組合区
４１  第１支持板
４２  第２支持板
１１１  収容空間
１３１  差込溝
２１１  収容空間
２３１  差込溝
２４１  差込溝
３１１  収容空間
３３１  差込溝
４１１  第１差込片
４２１  第２差込片
Ｌ１  第１連接端
Ｌ２  第２連接端
【図１】
0003215623.tif 000003
【図２】
0003215623.tif 000004
【図３】
0003215623.tif 000005
【図４】
0003215623.tif 000006
【図５】
0003215623.tif 000007
【図６】
0003215623.tif 000008
【手続補正書】
【提出日】平成30年2月5日(2018.2.5)
【手続補正１】
【補正対象書類名】実用新案登録請求の範囲
【補正対象項目名】全文
【補正方法】変更
【補正の内容】
【実用新案登録請求の範囲】
【請求項１】
第１爪とぎボードと、第２爪とぎボードと、から構成され、
前記第１爪とぎボードは、第１ケースと、第１爪とぎ部と、を有し、前記第１ケースは収容空間を有し、前記第１爪とぎ部は、刃型により、圧縮された紙を切って、爪とぎ面を有する構造が形成され、これらの前記爪とぎ面には、ペットとする猫の爪を磨ぐことが可能な穴を有し、前記第１爪とぎ部は、前記第１ケースの前記収容空間に組付けられており、
前記第２爪とぎボードは、第２ケースと、第２爪とぎ部と、を有し、前記第２ケースは収容空間を有し、前記第２爪とぎ部は、刃型により、圧縮された紙を切って、爪とぎ面を有する構造が形成され、これらの前記爪とぎ面には、ペットとする猫の爪を磨ぐことが可能な穴を有し、前記第２爪とぎ部は、前記第２ケースの収容空間に組付けられており、
前記第１ケースと前記第２ケースとの間に第１連接端が設けられており、前記第１連接端により、前記第１爪とぎボードを前記第２爪とぎボードに対して旋回可能であり、これにより、前記第１爪とぎボードと前記第２爪とぎボードとは、折畳み、又は展開可能であることを特徴とするペット用爪とぎボード。
【請求項２】
前記第２爪とぎボードは、更に、第３爪とぎボードと連接し、前記第３爪とぎボードは、第３ケースと、第３爪とぎ部と、を有し、前記第３ケースは収容空間を有し、前記第３爪とぎ部は、刃型により、圧縮された紙を切って、爪とぎ面を有する構造が形成され、これらの前記爪とぎ面には、ペットとする猫の爪を磨ぐことが可能な穴を有し、前記第３爪とぎ部は、前記第３ケースの収容空間に組付けられており、前記第２爪とぎボードと前記第３爪とぎボードとの間に第２連接端が設けられており、前記第２連接端により、前記第３爪とぎボードを旋回可能であり、これにより、前記第１、第２及び第３爪とぎボードは、折畳み、又は展開可能であることを特徴とする、請求項１に記載のペット用爪とぎボード。
【請求項３】
前記第１爪とぎボードは、前記第１連接端の二つの側辺に第１組合区がそれぞれ設けられており、前記第２爪とぎボードは、前記第１連接端の二つの側辺に第２組合区がそれぞれ設けられており、両側にある前記第１組合区と前記第２組合区とには、第１支持板がそれぞれ組付けられており、これらの前記第１支持板は、三角形を呈するプレートであり、前記第１支持板により、前記第１爪とぎボードと前記第２爪とぎボードとを互いに垂直する状態にすることが可能であることを特徴とする、請求項１に記載のペット用爪とぎボード。
【請求項４】
前記第１組合区と前記第２組合区とに差込溝が設けられており、前記第１支持板に第１差込片が複数設けられており、前記第１支持板にある前記第１差込片を前記差込溝にそれぞれ挿し込むことにより、前記第１爪とぎボードと前記第２爪とぎボードとを互いに垂直する状態にすることが可能であることを特徴とする、請求項３に記載のペット用爪とぎボード。
【請求項５】
前記第１支持板の側壁に粘着部材が設けられており、前記第１組合区と前記第２組合区との側壁に、前記粘着部材を有する側を接着することにより、前記第１爪とぎボードと前記第２爪とぎボードとを互いに垂直する状態にすることが可能であることを特徴とする、請求項３に記載のペット用爪とぎボード。
【請求項６】
前記第１爪とぎボードは、前記第１連接端の二つの側辺に第１組合区がそれぞれ設けられており、前記第２爪とぎボードは、前記第１連接端の二つの側辺に第２組合区がそれぞれ設けられており、前記第１組合区と前記第２組合区との両側に第１支持板がそれぞれ組み付けられており、前記第１支持板は三角形を呈するプレートであり、これにとり、前記第１爪とぎボードと前記第２爪とぎボードとを互いに垂直する状態にすることが可能であり、前記第２爪とぎボードは、第２連接端の両側に第３組合区がそれぞれ設けられており、前記第３爪とぎボードは、前記第２連接端の両側に第４組合区がそれぞれ設けられており、前記第３組合区と前記第４組合区との両側に第２支持板がそれぞれ組み付けられており、これらの前記第２支持板は、矩形を呈するプレートであり、これにより、前記第２爪とぎボードと前記第３爪とぎボードとを互いに垂直するように連接する状態にすることが可能であることを特徴とする、請求項２に記載のペット用爪とぎボード。
【請求項７】
前記第３組合区と前記第４組合区とに差込溝がそれぞれ設けられており、前記第２支持板は、前記第３組合区と前記第４組合区とに対応する複数の第２差込片を有し、これらの前記差込溝に、前記第２支持板にある前記第２差込片をそれぞれ差し込むことにより、前記第２爪とぎボードと前記第３爪とぎボードとを互いに垂直する状態にすることが可能であることを特徴とする、請求項６に記載のペット用爪とぎボード。
【請求項８】
前記第２支持板の側壁に粘着部材が設けられており、前記第３組合区と前記第４組合区との側壁に、前記粘着部材を有する側を接着することにより、前記第２爪とぎボードと前記第３爪とぎボードとを互いに垂直する状態にすることが可能であることを特徴とする、請求項７に記載のペット用爪とぎボード。
【請求項９】
前記粘着部材により、前記第１、第２及び第３爪とぎ部は、前記第１、第２及び第３ケース内の収容空間に結合することを特徴とする、請求項８に記載のペット用爪とぎボード。
【請求項１０】
前記第１、第２及び第３爪とぎ部は複数の差込片を有し、前記第１、第２及び第３ケース内の収容空間は複数の差込穴を有し、前記第１、第２及び第３ケース内の収容空間に、前記第１、第２及び第３爪とぎ部の差込片を差し込むことを特徴とする、請求項２に記載のペット用爪とぎボード。